(57)【要約】少なくとも１つの収納トレイユニット（１）を備える、道具、特に工具の収納用デバイスである。収納トレイユニット（１）は、収納トレイユニット（１）を搬送する搬送ユニット（５）に接続可能である。収納用デバイスに収納される道具は、搬送ユニット（５）から取り外し可能である。収納トレイユニット（１）は、収納トレイユニット（１）を搬送ユニット（５）に接続するために、搬送ユニット（５）の収容溝（８）に挿入可能な少なくとも１つの突出部（１２，１３，１４）を備え、搬送ユニット（５）に接続された収納トレイユニット（１）は、搬送ユニット（５）から外部に突き出る。収納トレイユニット（１）を搬送ユニット（５）に様々な角度位置で接続するために、収納トレイユニット（１）の突出部（１２，１３，１４）それぞれは、搬送ユニット（５）の収容溝（８）に挿入可能である。【選択図】図１
2014531947.tif 000002
【特許請求の範囲】
【請求項１】
少なくとも１つの収納トレイユニット（１）を含む、道具、特に工具の収納用デバイスであって、
前記少なくとも１つの収納トレイユニット（１）は、前記収納トレイユニット（１）を搬送する搬送ユニット（５）に接続可能であり、前記搬送ユニット（５）から取り外し可能である収納される対象である前記道具を収容し、
前記収納トレイユニット（１）は、前記収納トレイユニット（１）を前記搬送ユニット（５）に接続するために、前記搬送ユニット（５）の収容溝（８）に挿入可能である少なくとも１つの突出部（１２，１３，１４）を備え、
前記搬送ユニット（５）に接続する前記収納トレイユニット（１）は前記搬送ユニット（５）から外部に延出し、前記少なくとも１つの収納トレイユニット（１）は水平軸を基準に少なくとも２つの異なる角度位置で前記搬送ユニット（５）に接続可能であり、
前記収納トレイユニット（１）を前記搬送ユニット（５）に異なる角度位置で接続するために、前記収納トレイユニット（１）の前記突出部（１２，１３，１４）それぞれは、前記搬送ユニット（５）の前記収容溝（８）に挿入可能であることを特徴とするデバイス。
【請求項２】
請求項１記載のデバイスであって、
全ての前記収納トレイユニット（１）は、水平軸を基準に少なくとも２つの異なる角度位置で前記搬送ユニット（５）に接続可能であり、
前記収納トレイユニット（１）を前記搬送ユニット（５）に異なる角度位置で接続するために、前記収納トレイユニット（１）の前記突出部（１２，１３，１４）それぞれは、前記搬送ユニット（５）の前記収容溝（８）に挿入可能であることを特徴とするデバイス。
【請求項３】
請求項１又は２記載のデバイスであって、
前記突出部（１２，１３，１４）の一の突出部は、前記収容溝（８）に挿入された状態で上方に突き出し、前記搬送ユニット（５）に接続した前記収納トレイユニット（１）とともに前記収容溝（８）の上部境界壁（８ａ）の湾入部（２１）に係合する突起（２０）を備え、
前記収納トレイユニット（１）は直線的に前記搬送ユニット（５）を引っ張り出されるとき、積極的にロックする方法で固定されることを特徴とするデバイス。
【請求項４】
請求項３記載のデバイスであって、
前記収容溝（８）に挿入されたとき、下方サイドで、前記突出部（１２，１３，１４）の一の突出部は、前記一の突出部の端部に向かい断面がテーパー状である先端面取り部又は湾曲部（２３）を備えることを特徴とするデバイス。
【請求項５】
請求項１〜４のいずれか一項に記載のデバイスであって、
前記搬送ユニット（５）は、前記収納トレイユニット（１）の少なくとも１つの突出部（１２，１３，１４）の挿入のために、連続的な収容溝（８）を備えるプロファイルドレールによって形成される、又は、前記プロファイルドレールを含むことを特徴とするデバイス。
【請求項６】
請求項５記載のデバイスであって、
前記搬送ユニット（５）に接続されるとき、前記収納トレイユニット（１）は水平方向に変位可能であり、
前記収容溝（８）に挿入される前記収納トレイユニット（１）の少なくとも１つの突出部（１２，１３，１４）は、前記収容溝（８）の長手方向に移動可能であることを特徴とするデバイス。
【請求項７】
請求項１〜６のいずれか一項に記載のデバイスであって、
異なる高さで配置され、又は配置され得るいくつかの前記搬送ユニット（５）と、前記搬送ユニット（５）に選択的に接続され得るいくつかの前記収納トレイユニット（１）とを備えることを特徴とするデバイス。
【請求項８】
請求項１〜７のいずれか一項に記載のデバイスであって、
前記収納トレイユニット（１）の一の収納トレイユニットは、トレイ本体（３）を備え、前記トレイ本体（３）の一方のサイドで互いに離間し、かつ、いずれの場合にも前記収容溝（８）に挿入するために前記突出部（１２，１３）の少なくとも１つの突出部を備える第１接続ピース（１６）及び第２接続ピース（１７）に取り付けられることを特徴とするデバイス。
【請求項９】
請求項８記載のデバイスであって、
前記第１接続ピース及び前記第２接続ピースは、いずれの場合にもプロファイルドレール部分（２９）を備え、又は、前記プロファイルドレール部分（２９）によって形成されることを特徴とするデバイス。
【請求項１０】
請求項１〜９のいずれか一項に記載のデバイスであって、
収納される道具を収容するためにコンパートメント（２）を備える硬質発泡ライナー（４）がトレイ本体（３）に挿入されることを特徴とするデバイス。
【請求項１１】
請求項１〜１０のいずれか一項に記載のデバイスであって、
前記突出部（１２，１３，１４）の少なくとも一部分は、前記収容溝（８）に挿入されると下方に突き出し、かつ、前記突出部（１２，１３，１４）が前記収容溝（８）に挿入されると前記収容溝（８）の下部境界壁（８ｂ）のスナップイン式湾入部（３２）にはめ込まれるスナップ式突起（２７）を備えることを特徴とするデバイス。
【請求項１２】
請求項１〜１１のいずれか一項に記載のデバイスであって、
前記収納トレイユニット（１）は、前記収納トレイユニット（１）の反対サイドに回転可能に取り付けられる少なくとも２つのキャスター（３３）を備え、
引き出し式ガイド手段を形成するために、前記収納トレイユニット（１）は、前記収納トレイユニット（１）が第１ガイドレール（３５）及び第２ガイドレール（３６）の長手方向に変位可能であるように取り付けられる前記ガイドレール（３５，３６）に前記キャスター（３３）とともに挿入可能であることを特徴とするデバイス。
【請求項１３】
請求項１〜１１のいずれか一項に記載のデバイスであって、
ガイドユニット（４２）を備え、
前記ガイドユニット（４２）は、前記収納トレイユニット（１）の前記突出部（１２，１３，１４）の少なくとも１つの突出部が前記収納トレイユニット（１）を前記ガイドユニット（４２）に接続するために挿入可能である収容溝（４５）を備え、
前記ガイドユニット（４２）に接続された前記収納トレイユニット（１）は、前記ガイドユニット（４２）から外部に延び、
引き出し式ガイド手段を形成するために前記ガイドユニット（４２）は、第１ガイドレール（３５）及び第２ガイドレール（３６）に対して移動可能であるように取り付けられ、前記第１ガイドレール（３５）及び前記第２ガイドレール（３６）の長手方向に前記ガイドユニット（４２）の両サイドに配置されることを特徴とするデバイス。
【請求項１４】
請求項１２又は１３記載のデバイスを含む引き出し式ガイド手段。
【請求項１５】
請求項１２又は１３記載のデバイスを含む少なくとも１つの引き出し式ガイド手段を有する家具。
【発明の詳細な説明】
【技術分野】
【０００１】
本発明は、道具、特に工具の収納用デバイスに関する。特に、収納トレイユニットを搬送する搬送ユニットに接続可能であり、搬送ユニットから取り外し可能である、収納される対象である道具を収容する少なくとも１つの収納トレイユニットを含み、収納トレイユニットは、収納トレイユニットを搬送ユニットに接続するため、搬送ユニットの収容溝に挿入可能である少なくとも１つの突出部を備え、そして、搬送ユニットに接続する収納トレイユニットは搬送ユニットから外部に延出し、少なくとも１つの収納トレイユニットは水平軸を基準に少なくとも２つの異なる角度位置で搬送ユニットに接続可能である収納用デバイスに関する。
【０００２】
引き出しにコンパートメントを備えた工具棚が公知である。工具を使用するために、対応する引き出しは引かれて開けられる必要があり、工具がコンパートメントから外され、続いて対応するコンパートメントに再び押し込まれる。工具が離れた場所で使用される場合、所望の工具は工具棚の外部に除かれる必要があり、続いて設けられたコンパートメントに再び押し込まれる。予め定められたシステムの手順を維持することは結果的に多くの時間と労力を要する。
【０００３】
また、凹部が設けられて内部に収容される工具に正確に適合し、かつ、工具棚の引き出しに挿入された工具とともに、各工具に適用されるコンパートメントを形成する硬質発泡ライナーを設置することは、中に収容された工具とともに硬質発泡ライナーが取り除かれ、要求された場合、使用場所に移動できるので、公知である。しかしながら、このような操作も、相対的に扱い難く複雑である。さらに、収容道具のためにコンパートメントを備えるプラスチック材料インサートを有する金属トレイも公知である。
【０００４】
特許文献１のデバイスは、垂直スタンドの異なる高さで取り付けられ、スタンドの垂直軸周りで回転可能であるトレイ状の搬送ユニットを提供する。収納される台所用品、特に道具を収容するコンパートメントを備えるトレイ収納ユニットは、各搬送ユニットの湾入部に挿入され、当該湾入部から取り外され得る。
【０００５】
トレイ収納ユニットとして見なされる道具コンテナが、突出部として見なされるフック状エレメントによって上方に延びるウェブ上で吊るされたデバイスが、特許文献２に示されている。当該ウェブは、収容溝の下部境界を形成する。特許文献３の公知のデバイスの場合、収納トレイユニットのフック状エレメントは、レール状の搬送ユニットの上部エッジ上で吊るされる。さらに、２つのデバイスの場合、搬送ユニットの溝に突き出す突起エレメントが存在し、それによって収納トレイユニットの意図的ではない持ち上げが制限される。
【０００６】
特許文献４は、前文で述べた搬送ユニットが互いに対して傾斜する２つの部分を備えるデバイスを示している。コンテナのフック状エレメントは２つの部分の一方を選択的に吊るし、コンテナは２つの異なる角度位置で搬送ユニットに接続できる。
【先行技術文献】
【特許文献】
【０００７】
【特許文献１】独国特許発明第６０３０７１７１号明細書
【特許文献２】米国特許出願公開第２００７／００１２６３６号明細書
【特許文献３】独国実用新案出願公開第２０３１４７７３号明細書
【特許文献４】米国特許出願公開第２０１０／０３２６９３０号明細書
【発明の概要】
【０００８】
本発明の目的は、シンプルに具現化され、少なくとも１つの搬送ユニットの有利な操作を可能にし、そして、収納トレイユニットの内容物のアクセス性又は展示が様々な状況に対して最適化された、前文で述べたデバイスを提供することである。本発明によれば、本発明の特徴的構成を有するデバイスによって、本発明の目的が達成される。
【０００９】
本発明のデバイスの場合、各収納トレイユニットは、収納トレイユニットを搬送ユニット又は複数の搬送ユニットの一つに接続する搬送ユニットの収容溝に挿入され得る少なくとも１つの突出部を備える。この点に関して、搬送ユニットに接続される収納トレイユニットは、搬送ユニットから外部に延びる。結果的に、少なくとも１つの突出部を備える収納トレイユニットのサイドと反対にある収納トレイユニットのサイド（搬送ユニットから離れた収納トレイユニットのサイド）は、収納トレイユニットが搬送ユニットに接続されると、使用されない。
【００１０】
有利な方法では、収容溝に挿入された収納トレイユニットの少なくとも１つの突出部は、収納トレイユニットのフリーサイドが傾斜して下方に移動するのに対して、収納トレイユニットを支持する。目的を達成するために、突出部は、収容溝の上部境界壁に対する当接領域によって支持される。さらに、収容溝の下部境界壁の上で外部にある（溝の深くにある）接触領域、又は、外部にある収納トレイユニットの支持領域によって、突出部は静止して、収納トレイユニットは搬送ユニットの端面で収容溝の下方でいずれかの領域で支持される。
【００１１】
従って、収納トレイユニットは、搬送ユニットに接続可能であり、工具を必要とすることなく搬送ユニットから取り外すことができる。
【００１２】
本発明の有利な実施形態において、収納トレイユニットと搬送ユニットの接続は、収容溝に挿入される少なくとも１つの突出部によってのみ形成され、搬送ユニットの端面で支持される収納トレイユニットの当接領域とともに適用できる。
【００１３】
収納トレイユニットを搬送ユニットに接続すると、収納トレイユニットの少なくとも１つの突出部は収容溝に挿入方向で挿入され、そして、収納トレイユニットを搬送ユニットから取り外すと、少なくとも１つの突出部は引き出し方向と反対に収容溝から引っ張り出される。収納トレイユニットは、搬送ユニットに接続されると、引き出し方向を基準に搬送ユニットから外部に延びる。
【００１４】
本発明によれば、収納トレイユニットの少なくとも１つは、水平軸を基準に少なくとも２つの異なる角度位置で搬送ユニットに接続可能である。収納トレイユニットは、水平軸を基準に異なる角度位置で配置され、かつ、異なる角度位置で収納トレイユニットを搬送ユニットに接続する搬送ユニットの収容溝に選択的に挿入可能である異なる突出部を備える。収納トレイユニットが異なる角度位置で搬送ユニットに接続されると同時に、少なくとも１つの突出部を備える反対のサイドにある収納トレイユニットのサイドは、異なる高さで配置される。結果的に、収納トレイユニットの内容物のアクセス性又は展示が様々な状況に対して各々の場合で最適化され得る。
【００１５】
搬送ユニットに接続した状態で、収納トレイユニットは、搬送ユニットの収容溝から引っ張り出される収納トレイユニットの少なくとも１つの突出部に対して積極的にロックする方法で固定されることが好ましい。このために、収納トレイユニットの各突出部が、収容溝に挿入された状態で突出部から上方に突き出し、収容溝の上部境界壁の湾曲部に係合する突起を備えるという有利なデザインが提供される。搬送ユニットに接続されると、結果として、収納トレイユニットは、搬送ユニットの収容溝から直線的に引っ張り出される各突出部対して積極的にロックする方法で固定される。接続及び取り外しのために、収納トレイユニットは、搬送ユニットに接続されると予想される位置を基準に、搬送ユニットの収容溝の長手方向に平行である水平軸に対して傾斜し、少なくとも１つの突出部を備えるサイトと反対にある収納トレイユニットのサイドは、収納トレイユニットが搬送ユニットに接続される収納トレイユニットの位置より高い位置にある。収納トレイユニットを搬送ユニットに接続するために、収納トレイユニットの傾斜位置の少なくとも１つの突出部は搬送ユニットの収容溝に挿入され、そして、少なくとも１つの突出部を備えるサイドの反対にある収納トレイユニットのサイドは収納トレイユニットが搬送ユニットによって搬送されるまで低くなり、各突出部の突起は収容溝の上部境界壁の湾入部に係合する。収納トレイユニットを搬送ユニットから取り外すためには、逆シーケンスが実行される。
【００１６】
他の積極的にロックする接続方式も考えられ、可能である。従って、例えば、搬送ユニットは、少なくとも１つの突起の後方に弾性的にラッチ（latch）（スナップ（snap））する少なくとも１つのエレメントを備える。収納トレイユニットを搬送ユニットから取り外すために、積極的にロックする手段は、特に弾性的な弾性エレメントのスプリング力を打ち消すことによって形成され得る。
【００１７】
本発明の有利な実施形態において、少なくとも１つの突出部は、収容溝に挿入される突出部を有し、下方に突き出し、かつ、突出部が収容溝に挿入されると収容溝の下部境界壁のスナップイン式湾入部（snap-in indentation）にスナップするスナップ式突起（snap-type projection）を備える。全ての突出部は、挿入されると、収容溝の下部境界壁のスナップイン式湾入部にスナップされる少なくとも１つのスナップ式突起を備えることが好ましい。例えば、このようなスナップ式突起は、特にプラスチック材料からなり、端面でプロファイルドレール部分を塞ぐエンドキャップに配置され得る。便宜的に、プロファイルドレール部分は、２つのこのようなエンドキャップの端部で塞がれる。少なくとも１つのエンドキャップとともにプロファイルドレールは、収納溝に挿入する異なる角度位置で配列された突出部を備える接続ピースを形成する。
【００１８】
有利な方法では、各突出部の少なくとも１つのスナップ式突起が、突出部の収容溝に挿入されると、収容溝の上部境界壁の湾入部に係合する突起に加えて提供される。
【００１９】
搬送ユニット又は各搬送ユニットは、便宜的にプロファイルドレールによって形成され、又は、このようなプロファイルドレールを含み、当該プロファイルドレールは収納トレイユニットの少なくとも１つの突出部の挿入のために長手方向に連続する溝を有する。当該プロファイルドレールは便宜的に押出プロファイル（extruded profile）によって形成される。
【００２０】
搬送ユニット又は各搬送ユニットは、固定可能、あるいは、例えば、直接、又は、構造物の壁、機械の壁、（構造物の壁、機械、又は支持構造物上で固定される）搬送壁等の壁でさらに少なくとも１つの固定パーツによって固定され得る。例えば、固定は、特に鉛直方向に、壁に取り付けられる固定レールによって達成され得る。また、機械フレームによって形成され得る支持構造物上への固定も可能である。固定されたデザインは別として、搬送ユニット、少なくとも１つの搬送ユニット、又は移動パーツ上の全ての搬送ユニットを固定することも提供され得る。
【００２１】
便宜的に、デバイスは、異なる高さで互いに配置される、又は配置され得るいくつかの搬送ユニットと、搬送ユニットに選択的に接続可能であるいくつかの収納トレイユニットとを含む。
【００２２】
収納トレイユニットの有利な実施形態では、収納トレイユニットは、本体トレイのサイドエッジの一方が、サイドエッジの延長方向に互いに離間して、本体トレイのサイドエッジの２つのエッジ領域でトレイ本体に固定されることが好ましい第１接続ピース及び第２接続ピースに固定されるトレイ本体を備える。接続ピースは、いずれの場合にも収容溝に挿入するための少なくとも１つの突出部を、好ましくはいずれの場合にも異なる角度位置で配列したいくつかの突出部を備える。収納トレイユニットを搬送ユニットに接続すると、接続ピースの各々の突出部の１つが搬送ユニットの収容溝に挿入される。
【００２３】
各接続ピースは押出プロファイルの一部を備え、又は押出プロファイルによって形成される。
【００２４】
本発明の有利な実施形態では、収納トレイユニットに接続される搬送ユニットが搬送ユニットの長手方向に変位可能であり、収容溝に挿入される少なくとも１つの突出部は収容溝に沿って動かされることが提供される。
【００２５】
本発明のデバイスは、道具、特に工具を正確に置く、又は収納するために使用され得、非常にシンプルな方法で道具を離れた使用場所に搬送でき、そして収納トレイユニット内に保持する。また、本発明のデバイスは、例えば有利な方法で、セールで、又は商品説明用展示ルームで使用され得る。この点に関して、より詳細に商品を試験するために、商品とともに収納トレイユニットは搬送ユニットからシンプルな方法で取り除かれ得る。
【００２６】
本発明の収納トレイユニットを使用することによって、引き出し式ガイド手段も具現化され得る。このため、第１実施形態において、収納トレイユニットは収納トレイユニットの反対サイドに回転可能に取り付けられる少なくとも２つのキャスターが備えられる。収納トレイユニットは第１ガイドレール及び第２ガイドレールにキャスターを挿入可能であり、ガイドレールの長手方向にガイドレールに対して変位可能である。これに関して、第１ガイドレール及び第２ガイドレールは、いずれの場合も、回転可能に取り付けられた少なくとも１つのキャスターを備え、いずれの場合も収納トレイユニットのガイドウェブがその上に置かれる。
【００２７】
結果的に、収納トレイユニットは、ガイドレールに挿入されると、引き出しとして使用され得る。ガイドレールから取り外されると、結果的に収納トレイユニットが上述した方法で搬送ユニットに接続され得る。
【００２８】
引き出し式ガイド手段を具現化する第２実施形態によれば、収納トレイユニット又は複数の収納トレイユニットの一つが、収納トレイユニットをガイドユニットに接続する少なくとも１つの突出部によって挿入可能であるガイドユニットが提供される。収納トレイユニットと搬送ユニットの間の接続に類似して、ガイドユニットに接続する収納トレイユニットは、ガイドユニットから外部に延びる。すなわち、ガイドユニットから離れた収納トレイユニットのサイドはフリーである。ガイドユニットは、ガイドレールの長手方向に第１ガイドレール及び第２ガイドレールに関して変位可能であるように取り付けられる。有利な方法では、第１ガイドレール及び第２ガイドレールは、ガイドレールで反対サイドに回転可能に取り付けられ、かつ、いずれの場合も第１ガイドレール及び第２ガイドレールの上部走行ウェブ及び下部走行ウェブの間で回転するキャスターを備える。これに関して、ガイドユニットはいずれの場合も、第１ガイドレール及び第２ガイドレールでガイドユニット上に回転可能に取り付けられる少なくとも２つのキャスターによって回転可能に取り付けられる。結果的に、ガイドユニットは、キャスターによってガイドレールで変位可能にガイドされる一種の走行キャリッジを形成する。
【００２９】
結果的に、ガイドユニットに接続される収納トレイユニットは、引き出しとして使用され得る。収納トレイユニットがガイドユニットから取り外されると、収納トレイユニットが上述した方法で搬送ユニットに接続され得る。
【００３０】
さらに、本発明の利点及び詳細が以下の添付図面によって説明される。
【図面の簡単な説明】
【００３１】
【図１】接続状態での収納トレイユニット及び搬送ユニットの例示的実施形態の斜視図。
【図２】異なる方向から見た斜視図。
【図３】互いに分離した状態での図１の部分側面図。
【図４ａ】収納トレイユニットを搬送ユニットに接続するときの中間位置の側面図。
【図４ｂ】接続状態の側面図。
【図５ａ】図４ａに対応するが、接続を提供する、又は、図４ａではない収納トレイの角度位置での接続状態を示す図。
【図５ｂ】図４ｂに対応するが、接続を提供する、又は、図４ｂではない収納トレイの角度位置での接続状態を示す図。
【図６ａ】収納トレイユニットの更なる角度位置での図４ａに対応する図。
【図６ｂ】収納トレイユニットの更なる角度位置での図４ｂに対応する図。
【図７】収納ユニットの正面図。
【図８】収納ユニットの側面図。
【図９】図７のＡ−Ａ線断面図。
【図１０】収納トレイユニットのトレイ本体に取り付けられる接続ピースの斜視図。
【図１１】接続ピースの平面図。
【図１２】図１１のＢ−Ｂ線断面図。
【図１３】収納トレイユニット及び搬送ユニットの接続状態における例示的実施形態の変形例。
【図１４】例示的実施形態で収納トレイユニットを搬送ユニットに接続するときの中間位置の側面図。
【図１５】図１４のＡ部分の拡大詳細図。
【図１６】接続状態の側面図。
【図１７】図１６のＢ部分の拡大詳細図。
【図１８】分離状態の側面図。
【図１９】本発明の変形した実施形態の、プロファイルドレール部分及び接続ピースを具現化するためのエンドキャップの斜視図。
【図２０】本発明の収納トレイユニットを備える引き出し式ガイド手段を有する家具の、示される家具の側壁の部分のみ斜視図。
【図２１】ガイドレール、収納トレイのトレイ本体、及びトレイ本体の硬質発泡ライナーの分解組立図。
【図２２】図２０に類似する、引き出し式ガイド手段を有する家具の更なる例示的実施形態を示す図。
【図２３】図２１に類似する、引き出し式ガイド手段を有する家具の更なる例示的実施形態を示す図。
【発明を実施するための形態】
【００３２】
本発明のデバイスの第１の例示的実施形態が図１〜図１２に示される。
【００３３】
本発明のデバイスは、収納される道具、例えば工具を収容するために具現化される、少なくとも１つの収納トレイユニット１を含む。このため、収納トレイユニット１は、収納される道具が配置され、又は挿入されるコンパートメント２を有する。この点に関連して、実施例に示されるように、いずれの場合も道具が収容されるように構成されたコンパートメント２でもよい。また、特別に構成されなかった、例えば、矩形及び／又は四角形のコンパートメントを提供することができる。これに代えて、収納トレイユニット１はまた、たった１つの湾入部（just one indentation）、すなわち、１つのコンパートメントを有し、収納トレイユニット１によって収納される全ての道具を収容し得る。
【００３４】
示された例示的実施形態において、収納トレイユニット１は、底壁及び側壁を有し、コンパートメント２を有する硬質発泡ライナー４が中に挿入されるトレイ本体３を含む。これに代えて、コンパートメントを具現化する、例えばプラスチック材料で形成された他のライナー又はインサートも提供されてもよく、あるいは、少なくとも１つのコンパートメント２が公知の更なるライナー又は更なるインサートを有することなくトレイ本体３によって直接形成されてもよい。
【００３５】
収納トレイユニット１が工具を必要とすることなく接続可能で、収納トレイユニット１が道具を必要とすることなく取り外し可能な搬送ユニットは、収納トレイユニット１を搬送するために機能する。本発明のデバイスは、１つの又は幾つかの搬送ユニットを含み得る。各搬送ユニット５は、直接、あるいは、固定部分（例えば、構造物の壁、備品又は機械のアイテム、支持構造物）と、可動キャリッジ、備品の可動アイテム、又は可動機械との間にある少なくとも１つの追加パーツによって固定される。固定は、例えば、開口６（図７及び図９参照）を貫通するスクリュー（図４〜図６参照）によって達成される。本発明のデバイスはまた、強固に一緒に接続されるいくつかの搬送ユニットを有するユニットであって、備品又は可動パーツに固定可能であるユニットを備えてもよい。
【００３６】
搬送ユニット５は、プロファイルドレールとして示される例示的実施形態、特にアルミニウム押出形材の形で、具現化される。
【００３７】
搬送ユニット５は、示された例示的実施形態のプロファイルドレールの長手方向に連続的に延びる収容溝８を備える。収容溝８は搬送ユニット５の取り付け状態で水平になる。
【００３８】
収容溝８は、上部境界壁８ａ及び下部境界壁８ｂによって画定される（取り付け状態参照）。この場合、これらの境界壁は、鉛直ベースウェブ１１から突き出る上部境界ウェブ９及び下部境界ウェブ１０によって形成される。収容溝８の他の具現化も考えられ、可能である。
【００３９】
挿入サイドの収納トレイユニット１は、収納トレイユニット１の様々な角度位置で搬送ユニット５に収納トレイユニット１を接続するために、突出部１２，１３，１４を有する。収納トレイユニット１の様々な角度位置において、収納トレイユニット１の底部１５は、水平方向に対して様々に傾く面（面の１つは水平である（すなわち、水平方向に対して０°の傾きを有する）ことが好ましい）にある。示された例示的実施形態において、可能な傾斜角は０°，３０°，６０°であり、挿入サイドと反対の収納トレイユニットのサイドは、傾斜角３０°及び６０°の場合、挿入サイドより低くなる。また、他の及び／又はさらなる傾斜角は、特に０°と９０°の間の範囲内で提供され得る。また、挿入サイドと反対のサイドが挿入サイドより高くなる、例えば、０°と４５°の間の範囲内の傾斜角が提供され得る。
【００４０】
収納トレイユニット１の少なくとも１つの突出部１２，１３，１４は、収納トレイユニットが搬送ユニット５に接続され得る各傾斜角に対して設けられる。示される例示的実施形態において、２つの突出部１２，１３，１４は各傾斜角に対して設けられる。
【００４１】
有利には、突出部１２，１３，１４は、例えば（ネジ穴が図１０〜図１２に示される）ネジ込み式接続方式で、スクリュートレイ本体３に固定される第１接続ピース１６及び第２接続ピース１７で具現化される。図のように、トレイ本体３の挿入サイドの側壁と底壁の部分に対して接続して隣接する、接続ピース１６，１７各々の当接ピース１８，１９が設けられ得る。
【００４２】
接続ピース１６，１７は、特に中空断面の形式で具現化されるプロファイルドレールの一部、好ましくはアルミニウム押出形材によって都合の良い方法で形成され得る。このようなプロファイルドレールは、インナーキャビティを覆うために、両サイドにカバーが設けられ得る。
【００４３】
各接続ピース１６，１７は、搬送ユニット５に接続する収納トレイユニットが有する所望の角度位置に対応する、それぞれの様々な角度の方向で延在する突出部１２，１３，１４を備える。
【００４４】
互いに離間した２つの独立した接続ピース１６，１７の代わりに、突出部１２，１３，１４を備える単一の接続ピースが設けられてもよい。また、突出部１２，１３，１４が（角度位置ごとに少なくとも１つ）直接一体にモールドされたトレイ本体３を設けることが考えられ、可能である。
【００４５】
収納トレイユニット１が可能な角度位置の１つで搬送ユニット５に接続されると、突出部１２，１３，１４の少なくとも１つが収容溝８に挿入された場合、示された例示的実施形態では２つの突出部１２，１３，１４が各角度位置で収容溝８に挿入される。
【００４６】
各突出部１２，１３，１４は、自由端の辺りに、収容溝８に挿入される突出部１２，１３，１４とともに上方に突出し、かつ、搬送ユニット５に接続される収納トレイユニット１とともに収容溝８の上部境界壁８ａの湾入部２１に突出する突起２０を有する。
【００４７】
収納トレイユニット１を搬送ユニット５に接続するために、（例示的実施形態の２つの突出部の）収納トレイユニット１の選択した角度位置と関係する少なくとも１つの突出部１２，１３，１４は、溝底部と反対にある収容溝８のオープンサイドから、収容溝８に挿入される。少なくとも１つの突出部１２，１３，１４各々の挿入は、（例えば収容溝８が延びる長手方向ではなく）収容溝８が延びる深さ方向を指し示す挿入方向にもたらされる。搬送ユニット５から収納トレイユニット１を取り外すと、収容溝８に係合する少なくとも１つの突出部１２，１３，１４は、挿入方向２２と反対方向である引き出し方向（the pull-out direction）に引っ張り出される。
【００４８】
少なくとも１つの突出部１２，１３，１４を収容溝８に挿入するために、搬送ユニット５に接続されると想定される位置に関して、収納トレイユニット１は、収容溝８の長手方向に平行である水平軸に対して傾き、そして、この位置において、少なくとも１つの突出部１２，１３，１４とともに収容溝８に直線状に挿入方向２２に挿入される。挿入の間、想定されるこの位置は、図４ａ，図５ａ，図６ａに示される。収納トレイユニット１の当該位置に関係する少なくとも１つの突出部１２，１３，１４の挿入を可能にするために、各突出部１２，１３，１４の下部サイドは、突出部１２，１３，１４の断面が突出部１２，１３，１４の自由端に向かう方向にテーパー状になることによって、湾曲部２３を有する。また、先端面取り部（bevel）が湾曲部２３の代わりに設けられてもよい。有利には、湾曲部２３又は先端面取り部によって形成されたテーパー状断面は、挿入方向２２を基準にして突出部１２，１３，１４の少なくとも全延長の３分の１を超えて延出する。
【００４９】
少なくとも１つの突出部各々が挿入されると、更なる傾斜に対して、収納トレイユニット１が搬送ユニット５によって積極的にロックする方法で維持されるまで、収納トレイユニットは挿入サイドと反対のサイドで低くなる、すなわち、収容溝８の辺りにあり、収容溝８に平行に延びる水平軸に対して傾く。これに関して、突起２０は、挿入方向と反対方向の引き出し方向で収容溝８の外に直線的に引っ張り出されるのに対して、収納トレイユニット１が搬送ユニット５によって積極的にロックする方法で固定されるように湾入部２１に突き出す。
【００５０】
収納トレイユニット１が搬送ユニット５に接続された状態は、様々な角度位置の図４ａ，図５ａ，図６ａに示される。
【００５１】
上述した動作シーケンスを逆の方法で実行し、収納トレイユニット１を搬送ユニット５から取り外す。
【００５２】
搬送ユニット５に接続され、かつ搬送ユニット５によって搬送される収納トレイユニット１は、自由に突き出るように搬送ユニットから突き出る。
【００５３】
収納トレイユニット１が搬送ユニット５に接続されると同時に、収容溝８に挿入される少なくとも１つの突出部１２，１３，１４は、収容溝８の上部境界壁８ａに対する当接領域によって支持される。このような当接領域は、突起２０によって、又は突起２０に隣接する突出部１２，１３，１４の領域によって、形成されてもよい。さらに、突出部は、溝底部からさらに離れて配置される接触領域によって、下部境界壁８ｂに置かれる。この代わりに、収容溝８の外部で、収容溝８に突き出す少なくとも１つの突出部１２，１３，１４の下方にある収納トレイユニット１のサポート領域はまた、例えば下部境界ウェブ１０の自由端上で、搬送ユニット５の端面で支持され得る。
【００５４】
図１に示されるように、レール状に具現化される搬送ユニット５が収納トレイユニット１を超えて両サイドに延びる場合、搬送ユニット５に挿入される収納トレイユニット１は、両方向矢印２４によって図１に示されるように、搬送ユニット５の長手方向に動かされ得る。移動可能性を促進するために、挿入サイドと反対の収納トレイユニット１のサイドは、多少持ち上げられる。
【００５５】
示された例示的実施形態は唯一、単一の収納トレイユニット１及び単一の搬送ユニット５を示す。多くの適用例の場合、本発明のデバイスは、好ましくは取付位置の上に配置されるいくつかの搬送ユニット５と、いくつかの収納トレイユニット１とを含む。この接続状態において都合の良い方法で、収納トレイユニット１は各接続領域で少なくとも同じように具現化され、搬送ユニット５は各接続領域で少なくとも同じように具現化される。収納トレイユニット１のいずれかは、自由に選択され得る搬送ユニット５のいずれかに接続される。
【００５６】
接続ピース１６，１７は、収納トレイユニット１が徐々に接続ピース１６，１７の近くでサポートの上に置かれるようにゴム細片２６の挿入のための溝２５を備える。収納トレイユニット１の反対サイドの近くで、ゴムエレメントはまた、ゴムエレメントがサポートの上に置かれるように、下方サイドに設けられる。
【００５７】
本発明の変更された例示的実施形態が図１３〜図１９に示される。以下に、以下に述べられる相違点を除き、デザインは図１〜図１２によって表された例示的実施形態に対応する。
【００５８】
変更された例示的実施形態の場合、突出部１２，１３，１４は、収容溝８に挿入された状態で、それぞれの場合において上方に突き出す突起２０に加えて、スナップ式突起２７を下方に突き出すように設けられる。示された例示的実施形態では、スナップ式突起２７は、端面で各接続ピース１６，１７のプロファイルドレール２９を塞ぐエンドキャップ２８によって形成される。エンドキャップ２８の一例が図１９に示される。しかしながら、好ましい方法では、プロファイルドレール部分２９の両端がエンドキャップによって塞がれ、図示されないエンドキャップはエンドキャップ２８に鏡面対称で具現化される。プロファイルドレール部分２９と一緒にエンドキャップは、各接続ピース１６，１７を形成する。
【００５９】
好ましくは、エンドキャップ２８は、プラスチック材料で形成される。スナップ式突起２７が弾性的に押圧されることを可能にするために、エンドキャップ２８がスナップ式突起２７に隣接する領域に開口３０を設けられることが好ましい。
【００６０】
上述した例示的実施形態のように、収納トレイユニット１を搬送ユニット５に接続するために、収納トレイユニット１は端部位置に関して最初に回転させられ、収納トレイユニット１のフリーサイドは端部位置より高く横たわり、そして、対応する突出部１２，１３，１４はこの位置で収容溝８に挿入される（図１４，図１５参照）。結果として、収納トレイユニット１が下方に回動すると、突起２０は収容溝８の上部境界壁８ａの湾入部２１との係合へ移る。さらに、スナップ式突起２７は、収容溝８の下部境界壁８ｂで隆起部３１の上をガイドされ、弾性的に圧縮応力が加えられる。結果として、スナップ式突起２７は、下部境界壁８ｂのスナップイン（snap-in）式湾入部３２にはめ込まれる（図１６，図１７参照）。搬送ユニット５における固定の確実性は、上述の例示的実施形態と比較して前記の更なるスナップ式接続によって、特に下方から収納トレイユニット１に作用する力の場合、未だに開放されないスナップ式接続によって改良される。
【００６１】
スナップ式突起２７はまた、例えばスプリングの力に対してスナップ式エレメントによって変位可能な他の方法で具現化され得る。また、スナップ式突起は直接的に、プロファイルドレール部分２９で具現化されてもよい。
【００６２】
図２０及び図２１は、本発明の収納トレイユニットによって引き出し式（pull out）ガイド手段の具現化を示す。図２０及び図２１の例示的実施形態では、収納トレイユニット１の反対サイドのために、キャスター３３は回転可能に、収納トレイユニットに取り付けられる。キャスター３３が離間した方向は、搬送ユニット５に接続されると突出部１２，１３，１４が収容溝８に挿入される挿入方向に直交する。
【００６３】
キャスター３３とは別に、収納トレイユニットは上述した例示的実施形態と同じように具現化され得る。例えば、キャスター３３は回転可能に、例えば、エンドキャップ２８の収容開口３４（図１９参照）に挿入されるキャスター３３のシャフトによって、接続ピース１６，１７に取り付けられ得る。
【００６４】
キャスター３３は、第１ガイドレール３５及び第２ガイドレール３６に挿入可能である。ガイドレール３５，３６に挿入された状態で、少なくとも一部分がガイドレール３５とガイドレール３６との間にある収納トレイユニット１が、ガイドレール３５，３６の長手方向で移動可能である。
【００６５】
キャスター３７は回転可能に、各ガイドレール３５，３６でガイドレール３５，３６の前端部の近くで取り付けられる。ガイドレール３５，３６の前端部は、収納トレイユニット１がガイドレール３５，３６に接続するとき、収納トレイユニット１が供給される方向の端部である。ガイドレール３５，３６に接続される収納トレイユニット１は各走行ウェブ３８によって各キャスター３７に置かれる。
【００６６】
前端部の領域から離れて、ガイドレール３５，３６は、ベースウェブ４１によって一緒に接続される上部走行ウェブ３９及び下部走行ウェブ４０と断面Ｃ形状に具現化される。収納トレイユニット１の各キャスター３３は、走行ウェブ３９と走行ウェブ４０の間で回転し得る。上部走行ウェブ３９は、各ガイドレール３５，３６の前端部の領域で途切れ、又は、前端部の周辺に凹部を備える。露出領域（exposed regions）の結果として、収納トレイユニット１をガイドレール３５，３６に接続すると、キャスター３３はキャスター３７の後方で、ガイドレール３５，３６の走行ウェブ３９と走行ウェブ４０の間の空間に導入され得る。
【００６７】
収納トレイユニット１が押し下げられたとき、キャスター３３が上部走行ウェブ３９の露出領域の外部に移動することを防ぐために、様々な手段が設けられ得る。例えば、キャスター３３が上部走行ウェブ３９の露出領域に到達する前の位置で収納トレイユニット１の押し下げる範囲を定め、そして、収納トレイユニット１の前端部を立ち上げることによって解消し得る止め具（stop）を設けることができる。
【００６８】
このように、引き出し式ガイド手段は、収納トレイユニット１が引き出しとして具現化され得るように形成される。家具は、引き出しとして同時に１つ又はいくつかの収納トレイユニット１を挿入できるために、一対又はいくつかの対のガイドレール３５，３６を備え得る。家具５０の側壁の一部分のみが、図２０に概略的に示されている。収納トレイユニット１がガイドレール３５，３６から取り外されると、収納トレイユニット１は図１〜図１９と併せて上述したように具現化される。これに関して、ガイドレール３５，３６は、家具５０への接続を維持する。
【００６９】
さらに、引き出し式ガイド手段を設ける可能な構成が図２２及び図２３に示される。このデザインの場合、反対サイドに配置される回転可能に取り付けられたキャスター４３，４４を備えるガイドユニット４２がある。例えば、２つのキャスター４３，４４は回転可能に、各サイドで取り付けられる。ガイドユニット４２は、第１ガイドレール３５と第２ガイドレール３６の間にあり、キャスター４３，４４はガイドレール３５，３６の上部走行ウェブ３９及び下部走行ウェブ４０の間で回転できる。上部走行ウェブ３９及び下部走行ウェブ４０は、ベースウェブ４１によって共に接続され、その結果としてＣ形状になる。
【００７０】
さらに、ガイドユニット４２は、少なくとも１つの搬送ユニット５の収容溝８と同じ断面形状（断面の曲線）を備える収容溝４５を有する。例示的実施形態において、キャスター４３，４４は回転可能に、収容溝４５を備えるプロファイルドレール４８によって共に接続される搬送レール４６，４７に取り付けられる。この点に関して、搬送レール４６，４７及びプロファイルドレール４８は、互いに対して直角である。プロファイルドレール４８は、搬送ユニット５と同じプロファイルド形状を備える。
【００７１】
収納トレイユニット１は結果的に、突出部１２，１３，１４を介して、好ましくは少なくとも１つの突出部１２によって、プロファイルドレール４８に接続可能であり、それによって、プロファイルドレール４８に接続される収納トレイユニット１の水平位置合わせが達成される。
【００７２】
結果的に、収納トレイユニット１は、引き出しとして使用され得る。家具５０は一対又はいくつかの対のガイドレール３５，３６を備え、それによって様々な場合においてガイドユニット４２が変位可能にガイドされる。収納トレイユニット１は、対応する数の引き出しが具現化され得るように、各ガイドユニット４２に接続され得る。
【００７３】
収納トレイユニット１がガイドユニット４２から取り外されると、図１〜図１９とともに上述されたように、収納トレイユニット１が挿入され得る。これに関して、ガイドユニット４２は変位可能に、ガイドレール３５，３６に取り付けられ、そして、家具５０に接続した状態を維持する。
【００７４】
図２０〜図２３に対応する例示的実施形態において、ガイドレール３５，３６は家具５０に動かないように接続される。また、ガイドレール３５，３６がさらに少なくとも１つのレールによって各場合において家具５０に接続される実施形態が考えられ、可能である。特に、第１ガイドレール３５及び第２ガイドレール３６が変位可能にガイドされる第１本体レール及び第２本体レールは、家具５０に固定され得る。十分な拡張及び必要以上の拡張がこのような方法で具現化され得る。
【００７５】
家具５０は、工具棚の形状で、上述した方法で具現化され得る。
【符号の説明】
【００７６】
１…収納トレイユニット，２…コンパートメント，３…トレイ本体，４…硬質発泡ライナー，５搬送ユニット，６…開口，７…ネジ，８…収容溝，８ａ…上部境界壁，８ｂ…下部境界壁，９…上部境界ウェブ，１０…下部境界ウェブ，１１…ベースウェブ，１２…突出部，１３…突出部，１４…突出部，１５…底部，１６…第１接続ピース，１７…第２接続ピース，１８…当接ウェブ，１９…当接ウェブ，２０…突起，２１…湾入部，２２…挿入方向，２３…湾曲部，２４…両方向矢印，２５…溝，２６…ゴム細片，２７…スナップ式突起，２８…エンドキャップ，２９…プロファイルドレール部分，３０…開口，３１…隆起部，３２…スナップイン式湾入部，３３…キャスター，３４…収容開口，３５…ガイドレール，３６…ガイドレール，３７…キャスター，３８…走行ウェブ，３９…上部走行ウェブ，４０…下部走行ウェブ，４１…ベースウェブ，４２…ガイドユニット，４３…キャスター，４４…キャスター，４５…収容溝，４６…搬送レール，４７…搬送レール，４８…プロファイルドレール，５０…家具
【図１】
2014531947.tif 000003
【図２】
2014531947.tif 000004
【図３】
2014531947.tif 000005
【図４ａ】
2014531947.tif 000006
【図４ｂ】
2014531947.tif 000007
【図５ａ】
2014531947.tif 000008
【図５ｂ】
2014531947.tif 000009
【図６ａ】
2014531947.tif 000010
【図６ｂ】
2014531947.tif 000011
【図７】
2014531947.tif 000012
【図８】
2014531947.tif 000013
【図９】
2014531947.tif 000014
【図１０】
2014531947.tif 000015
【図１１】
2014531947.tif 000016
【図１２】
2014531947.tif 000017
【図１３】
2014531947.tif 000018
【図１４】
2014531947.tif 000019
【図１５】
2014531947.tif 000020
【図１６】
2014531947.tif 000021
【図１７】
2014531947.tif 000022
【図１８】
2014531947.tif 000023
【図１９】
2014531947.tif 000024
【図２０】
2014531947.tif 000025
【図２１】
2014531947.tif 000026
【図２２】
2014531947.tif 000027
【図２３】
2014531947.tif 000028
【国際調査報告】
2014531947.tif 000029
2014531947.tif 000030
2014531947.tif 000031
2014531947.tif 000032